(57)【要約】【課題】繰り返し使用によっても摺擦部位の摩耗を抑制し、クリック作用が保持されて耐久性の向上を図る。【解決手段】スタンド収納凹部２に第１の段差部９と第２の段差部１０とを有するクリック段部８を形成し、このスタンド収納凹部２に回転自在に組み付けられたチルトスタンド部材３にクリック凸部１５を形成して、チルトスタンド部材３をスタンド収納凹部２内に収納した第１の位置とスタンド収納凹部２から突出して機器本体の角度を大きくする第２の位置とに保持するように構成する。クリック段部８の少なくとも第１の段差部９に傾斜を付して構成したことにより、チルトスタンド部材３を回転操作する際にこの第１の段差部９に対するクリック凸部１５の乗り上がり動作が比較的軽微な力で行われて摩耗を低減する。【選択図】    図１
2004151930.tif 000002
【特許請求の範囲】
【請求項１】
機器本体の底部に形成されたスタンド収納凹部に一端側を軸支してチルトスタンド部材が組み付けられてなり、前記チルトスタンド部材を回転操作することによって前記スタンド収納凹部内に収納した第１の位置と自由端側を突出された第２の位置とに切り換えることによって前記機器本体の傾斜角度を変えるチルトスタンド装置において、
前記スタンド収納凹部の内面と前記チルトスタンド部材の相対する外側面に、前記チルトスタンド部材を前記第１の位置と第２の位置に保持するクリック段部とクリック凸部とからなるクリック機構を設け、
前記クリック段部の少なくとも前記チルトスタンド部材を第１の位置に保持する側の第１の段差部が傾斜を付されて形成されていることを特徴とするチルトスタンド装置。
【請求項２】
前記クリック段部の傾斜面の角度が、４５°〜６０°であることを特徴とする請求項１に記載のチルトスタンド装置。
【発明の詳細な説明】
【０００１】
【発明の属する技術分野】
本発明は、例えばキーボード等に付設されて操作面の角度を調整するチルトスタンド装置に関する。
【０００２】
【従来の技術】
例えばキーボード５０は、一般に机等に載置した状態において各キーに対して押下力が有効に作用されるとともに操作性の向上を図るために、図７に示すように操作面５１を手前下がりとする傾斜が付されるように構成されている。また、キーボード５０には、必要に応じて操作面５１の傾斜角度をさらに大きくすることを可能とするチルトスタンド装置６０が底面部５２側に付設されている。
【０００３】
従来のチルトスタンド装置６０は、図８乃至図１１に示すように、キーボード５０の底面部５２に長さ方向に離間して設けられた幅方向の一対のスタンド収納凹部６１、６１（本明細書においては、同様に形成された部材について最初にこのように表記し、特に個別に説明する場合を除いて以降は単にスタンド収納凹部６１と代表して表記するものとする。）と、これらスタンド収納凹部６１内にそれぞれ片持ち状態で回転自在に組み付けられたチルトスタンド部材６２、６２とからなる。チルトスタンド装置６０は、スタンド収納凹部６１に対してチルトスタンド部材６２が、それぞれ図８に示す収納された第１の位置と、図１１に示す自由端側を底部５２から突出された第２の位置とに切換操作されることにより、キーボード５０の操作面５１の傾斜角度を変えるようにする。
【０００４】
スタンド収納凹部６１は、図８に示すように天井壁６３が底面部５２の奥行き方向に対して次第に高さ（深さ）が大きくなるように傾斜が付されて形成されている。スタンド収納凹部６１には、図９及び図１０に示すように最も奥側となる背面壁６４側の頂点部近傍に位置して、両側面壁６５、６５に互いに軸線が一致されて軸孔６６、６６が形成されている。スタンド収納凹部６１には、側面壁６５に、クリック段部６７、６７が形成されている。
【０００５】
クリック段部６７は、図８に示すようにスタンド収納凹部６１の頂点部に位置して天井壁６３から背面壁６４に跨って側面壁６５に突出形成され、軸孔６６を要とする略扇形を呈する台座状の部位からなる。クリック段部６７は、両端部に底面部５２と平行な第１の段差部６８と、垂直な第２の段差部６９とを構成してなる。クリック段部６７は、それぞれの段差部６８、６９が垂直壁として構成されている。
【０００６】
チルトスタンド部材６２は、スタンド収納凹部６１内に収納されるに足る厚みを有する全体略楔状を呈してなり、基端部７０側の両側面にそれぞれ支軸７１、７１が一体に突出されている。チルトスタンド部材６２は、支軸７１が軸孔６６にそれぞれ嵌合されることにより、スタンド収納凹部６１内に片持ち状態で回転自在に組み付けられる。チルトスタンド部材６２は、上述したようにスタンド収納凹部６１内に収納された第１の位置と、支軸７１を支点として回転操作されることによって自由端部７２側をスタンド収納凹部６１から突出させた第２の位置とに切換操作される。
【０００７】
チルトスタンド部材６２には、図９及び図１０に示すように、基端部７０側から自由端部７２側に向かって支軸７１の形成位置を超える長さの互いに平行な一対のスリット７３、７３が形成されている。チルトスタンド部材６２は、スリット７３を介して基端部７０が幅方向に収斂することによって支軸７１、７１が互いに軸方向に対して接近することが可能である。したがって、チルトスタンド部材６２は、支軸７１、７１を互いに接近させた状態で相対する軸孔６６、６６に嵌合することによって、スタンド収納凹部６１内にそれぞれ回転自在に組み付けられる。なお、チルトスタンド部材６２は、後述するように第１の位置から第２の位置へと回転操作される際に、基端部７０が幅方向に収斂することによってクリック凸部７４、７４がクリック段部６７、６７にそれぞれ乗り上がって移動することが可能とされる。
【０００８】
すなわち、チルトスタンド部材６２には、基端部７０の両側面に、支軸７１に近接してクリック凸部７４がそれぞれ一体に突出形成されている。クリック凸部７４は、それぞれが半球状を呈する凸部からなり、図８に示すようにチルトスタンド部材６２がスタンド収納凹部６１内に収納された第１の位置においてクリック段部６７から落ち込んで第１の段差部６８と突き当たるようにして形成されている。また、クリック凸部７４は、図１１に示すようにチルトスタンド部材６２が自由端部７２をスタンド収納凹部６１から突出された第２の位置において、クリック段部６７を乗り越えて第２の段差部６９側に落ち込んでこれに突き当たるようにして形成されている。
【０００９】
以上のように構成されたチルトスタンド装置６０は、チルトスタンド部材６２がスタンド収納凹部６１内に収納された第１の位置において、キーボード５０の操作面５１の傾斜角度を筐体の傾斜角度とする。チルトスタンド装置６０においては、上述したようにチルトスタンド部材６２の基端部７０側を軸孔６６に嵌合した支軸７１によって回転自在に組み付けたことによって、自重により図８において反時計方向の回転習性が付与されている。チルトスタンド装置６０においては、上述したようにこの第１の位置においてクリック凸部７４が第１の段差部６８と突き当たることによって係止されることで、チルトスタンド部材６２がスタンド収納凹部６１内に収納された状態を保持される。
【００１０】
チルトスタンド装置６０においては、キーボード５０の操作面５１の傾斜角度を大きくする場合に、チルトスタンド部材６２が図８において反時計方向に回転操作される。チルトスタンド装置６０においては、スタンド収納凹部６１内からチルトスタンド部材６２が、基端部７０がスリット７３を介して収斂することでクリック凸部７４が第１の段差部６８を超えてクリック段部６７上に乗り上がるようにして回転する。チルトスタンド装置６０においては、チルトスタンド部材６２がさらに回転操作されると、クリック凸部７４が第２の段差部６９を介してクリック段部６７の端部から落ち込む。
【００１１】
チルトスタンド装置６０においては、この状態で図１１に示すようにチルトスタンド部材６２が、クリック凸部７４を第２の段差部６９に突き当たって係止されるとともに基端部７０の下端縁７０ａをスタンド収納凹部６１の開口縁６１ａに突き当てられる。したがって、チルトスタンド装置６０においては、チルトスタンド部材６２が、自由端部７２をスタンド収納凹部６１から突出させた状態に保持される。チルトスタンド装置６０においては、チルトスタンド部材６２の突出量に応じて奥行きの高さを大きくすることで、キーボード５０の操作面５１の傾斜角度を大きくする。
【００１２】
【特許文献１】
実開平５−２３２３６号公報（図４）
【００１３】
【発明が解決しようとする課題】
ところで、従来のチルトスタンド装置６０においては、クリック凸部７４が第１の段差部６８と第２の段差部６９とに突き当たった状態で、チルトスタンド部材６２が、スタンド収納凹部６１に収納された第１の位置とスタンド収納凹部６１から突出した第２の位置とに位置決めされる。従来のチルトスタンド装置６０においては、第１の段差部６８と第２の段差部６９とがそれぞれ垂直壁によって構成されていることから、チルトスタンド部材６２が回転操作されてクリック凸部７４が第１の段差部６８或いは第２の段差部６９からクリック段部６７に乗り上がる際に大きな操作力が必要であった。
【００１４】
従来のチルトスタンド装置６０においては、一方のチルトスタンド部材６２のクリック凸部７４がクリック段部６７に乗り上がらずにキーボード５０を傾いた状態で使用させるといった問題があった。また、チルトスタンド装置６０においては、その際にチルトスタンド部材６２の基端部７０に大きな力がかかる。チルトスタンド装置６０においては、繰り返し使用することによって基端部７０や支軸７１に弾性疲労が生じて破損することがあった。
【００１５】
さらに、チルトスタンド装置６０においては、第１の段差部６８や第２の段差部６９の稜線部位とクリック凸部７４とが線接触の状態で摺擦することから、繰り返し使用することによってこれらの部位に大きな摩耗が生じる。チルトスタンド装置６０においては、これによって第１の段差部６８と第２の段差部６９によるクリック凸部７４の係止作用が充分に奏せ無くなることから、ガタ付が発生してキーボード５０の操作性を低下させるといった問題があった。
【００１６】
したがって、本発明は、繰り返し使用によっても摺擦部位の摩耗を抑制し、クリック作用が保持されて耐久性の向上を図ったチルトスタンド装置を提供することを目的としたものである。
【００１７】
【課題を解決するための手段】
この目的を達成する本発明にかかるチルトスタンド装置は、機器本体の底部に形成されたスタンド収納凹部に一端側を軸支してチルトスタンド部材が組み付けられてなり、チルトスタンド部材を回転操作することによってスタンド収納凹部内に収納した第１の位置と自由端側を突出された第２の位置とに切り換えることによって機器本体の傾斜角度を変えるようにする。チルトスタンド装置は、スタンド収納凹部の内面とチルトスタンド部材の相対する外側面に、チルトスタンド部材を第１の位置と第２の位置に保持するクリック段部とクリック凸部とからなるクリック機構を設け、クリック段部の少なくともチルトスタンド部材を第１の位置に保持する側の第１の段差部が傾斜を付されて形成されてなる。
【００１８】
以上のように構成された本発明にかかるチルトスタンド装置によれば、クリック凸部がクリック段部を構成する第１の段差部に突き当てられて係止されることによって、チルトスタンド部材がスタンド収納凹部内に収納された第１の位置に保持される。チルトスタンド装置によれば、チルトスタンド部材が回転操作されることによって、クリック凸部が第１の段差部を超えてクリック段部の主面上に乗り上がりこのクリック段部の端部から第２の段差部へと落ち込む。チルトスタンド装置によれば、クリック凸部が第２の段差部に突き当てられて係止されることにより、チルトスタンド部材がスタンド収納凹部から突出された第２の位置に保持されて機器本体の傾斜角度を大きくする。
【００１９】
チルトスタンド装置によれば、少なくとも第１の段差部に傾斜を付して構成したことにより、チルトスタンド部材を回転操作する際にこの第１の段差部に対するクリック凸部の乗り上がり動作が比較的軽微な力で行われるようになる。したがって、チルトスタンド装置によれば、チルトスタンド部材への負担も小さくなるとともにクリック凸部と第１の段差部とが略面接触の状態で摺擦することからこれら部位における摩耗が抑制され、繰り返し使用によってもクリック作用が確実に奏されるようになる。
【００２０】
【発明の実施の形態】
以下、本発明の実施の形態として図面に示したチルトスタンド装置１について詳細に説明する。チルトスタンド装置１も、上述した従来のチルトスタンド装置６０とほぼ同様の構成と機能を有し、合成樹脂によって成形されたキーボード５０の筐体の底面部５２に長さ方向に離間して一対が付設されることによって、必要に応じて操作面５１の傾斜角度を大きくすることを可能とする。チルトスタンド装置１は、図１乃至図６に示すように、キーボード５０の底面部５２に長さ方向に離間して設けられた幅方向の一対のスタンド収納凹部２、２と、これらスタンド収納凹部２内にそれぞれ片持ち状態で回転自在に組み付けられた合成樹脂製のチルトスタンド部材３、３とからなる。チルトスタンド装置１は、スタンド収納凹部２に対してチルトスタンド部材３が、それぞれ図１に示す収納された第１の位置と、図４に示す自由端側を底部５２から突出された第２の位置とに切換操作されることによって、キーボード５０の操作面５１の傾斜角度を変えるようにする。
【００２１】
スタンド収納凹部２は、図１及び図５に示すように天井壁４が筐体の底面部５２の奥行き方向に対して次第に高さ（深さ）が大きくなるように傾斜が付されて形成されている。スタンド収納凹部２には、最も奥行き側となる背面壁５側の頂点部近傍に位置して、図５及び図６に示すように相対する側面壁６、６に互いに軸線が一致されて軸孔７、７が形成されている。スタンド収納凹部２には、側面壁６の相対する位置に、クリック段部８、８が形成されている。
【００２２】
クリック段部８は、図５に示すようにスタンド収納凹部２の頂点部に位置して天井壁４から背面壁５に跨って側面壁６に突出形成されている。クリック段部８は、軸孔７の開口縁を要位置として開き角度が約９０°の扇形を呈する台座状の部位からなる。クリック段部８には、両端部に主面と側面壁６の内面とを連設する第１の段差部９と第２の段差部１０とが構成されている。
【００２３】
第１の段差部９は、筐体の底面部５２に対して略平行な立壁からなり、後述するようにスタンド収納凹部２に対してチルトスタンド部材３を収納した状態に保持する作用を奏する。第１の段差部９は、図５及び図６に示すように側面壁６の内面からクリック段部８の主面に向かってクリック段部８の厚みを次第に大きくするように傾斜面として形成されている。
【００２４】
第１の段差部９は、傾斜面の傾斜角度が４５°〜６０°に設定されて形成されている。第１の段差部９は、傾斜角度が４５°より小さい場合には、後述するチルトスタンド部材３の係止作用を充分に奏することが困難となる。また、第１の段差部９は、傾斜角度が６０°より大きい場合には、後述するチルトスタンド部材３の回転操作の際に操作力を大きくする。なお、第１の段差部９は、側面壁６の内面からクリック段部８の主面に連続する傾斜面として構成するばかりでなく、例えば後述するチルトスタンド部材３側の支軸１３の半径よりも小さい高さの垂直部を介して傾斜面を付した２段に構成するようにしてもよい。
【００２５】
第２の段差部１０は、筐体の底面部５２に対して略垂直な立壁からなり、後述するようにスタンド収納凹部２に対してチルトスタンド部材３が突出された状態に保持する作用を奏する。第２の段差部１０は、チルトスタンド部材３をこの第２の位置に確実に保持するために、垂直壁として構成されてなる。勿論、第２の段差部１０も、図５に示すように上述した第１の段差部９と同様に傾斜面として構成するようにしてもよいが、その傾斜角度の下限値を５０°程度に設定することが好ましい。
【００２６】
チルトスタンド部材３は、図１及び図２に示すようにスタンド収納凹部２に対して、開口長さよりも小さな長さを有するとともに開口幅よりもやや小さな幅を有して形成されてなる。チルトスタンド部材３は、後述するように一端部側がスタンド収納凹部２に回動自在に支持される基端部１１とされるとともに、他端側が机等の載置面に載る支持部１２を構成する。チルトスタンド部材３は、基端部１１から支持部１２に向かって次第に厚みが小さくなる全体略楔状の断面形状を呈しており、全体としてスタンド収納凹部２内に収納されるに足る厚みを有して形成されている。
【００２７】
チルトスタンド部材３は、基端部１１がスタンド収納凹部２の空間形状に合わせて円弧状に形成されており、この基端部１１の両側面にそれぞれ支軸１３、１３が一体に突出されている。チルトスタンド部材３は、支軸１３が相対する軸孔７にそれぞれ嵌合されることにより、スタンド収納凹部２内に片持ち状態で回転自在に組み付けられる。チルトスタンド部材３は、上述したようにスタンド収納凹部２内に収納された第１の位置と、支軸１３を支点として回転操作されることによって支持部１２側をスタンド収納凹部２から突出させた第２の位置とに切換操作される。
【００２８】
チルトスタンド部材３には、図２及び図３に示すように、基端部１１の端部から支持部１２側に向かって支軸１３の形成位置を超える長さの互いに平行な一対のスリット１４、１４が形成されている。チルトスタンド部材３は、スリット１４を介して基端部１１を幅方向に収斂させることが可能である。したがって、チルトスタンド部材３は、基端部１１を収斂させて支軸１３、１３を互いに接近させた状態で相対する軸孔７、７に嵌合することにより、スタンド収納凹部２内にそれぞれ回転自在に組み付けられる。なお、チルトスタンド部材３は、後述するように第１の位置から第２の位置へと回転操作される際に、基端部１１が幅方向に収斂することによってクリック凸部１５、１５が第１の段差部９又は第２の段差部１０を乗り越えて相対するクリック段部８、８にそれぞれ乗り上がって移動することが可能とされる。
【００２９】
チルトスタンド部材３には、基端部１１の両側面に、支軸１３に近接してクリック凸部１５がそれぞれ一体に突出形成されている。クリック凸部１５は、それぞれが半球状を呈する凸部からなり、側面壁６、６の対向間隔とほぼ同等の突出量を以って形成されている。また、クリック凸部１５は、クリック段部８、８の対向間隔よりもやや大きな突出量を以って形成されている。
【００３０】
クリック凸部１５は、図１及び図３に示すようにチルトスタンド部材３がスタンド収納凹部２内に収納された第１の位置において、クリック段部８から側面壁６の内面に落ち込んで第１の段差部９と突き当たるようにして形成されている。また、クリック凸部１５は、図４に示すようにチルトスタンド部材３が支持部１２をスタンド収納凹部２から突出された第２の位置において、クリック段部８を乗り越えて側面壁６の内面に落ち込んで第２の段差部９に突き当たるようにして形成されている。
【００３１】
以上のように構成されたチルトスタンド装置１は、上述したようにチルトスタンド部材３の基端部１１を収斂させた状態でスタンド収納凹部２内に組み合わされ、支軸１３を軸孔７に嵌合させて基端部１１の収斂状態を開放することによりチルトスタンド部材３がスタンド収納凹部２に組み付けられる。チルトスタンド装置１は、チルトスタンド部材３をスタンド収納凹部２内に収納した第１の位置において、キーボード５０の操作面５１の傾斜角度を筐体の傾斜角度とする。
【００３２】
チルトスタンド装置１においては、上述したようにチルトスタンド部材３の基端部１１側を軸孔７に嵌合した支軸１３によって回転自在に組み付けたことにより、チルトスタンド部材３がその自重によって図１において反時計方向の回転習性を付与される。チルトスタンド装置１においては、上述したようにこの第１の位置においてクリック凸部１５が第１の段差部９と突き当たることによって係止されることで、チルトスタンド部材３がスタンド収納凹部２内に収納された第１の位置に保持される。
【００３３】
チルトスタンド装置１においては、キーボード５０の操作面５１の傾斜角度を大きくする場合に、チルトスタンド部材３が図１において反時計方向に回転操作される。チルトスタンド装置１においては、スタンド収納凹部２内からチルトスタンド部材３が、基端部１１をスリット７３を介して収斂させながらクリック凸部１５が第１の段差部９を超えてクリック段部８の主面上に乗り上がるようにして回転する。チルトスタンド装置１においては、チルトスタンド部材３がさらに回転操作されるにしたがって、クリック凸部１５がクリック段部８の端部に達して第２の段差部１０から側面壁６の内面へと落ち込む。
【００３４】
チルトスタンド装置１においては、この状態で図４に示すようにチルトスタンド部材３が、クリック凸部１５を第２の段差部１０に突き当たって係止されるとともに基端部１１の下端縁１１ａをスタンド収納凹部２の開口縁２ａに突き当てられる。したがって、チルトスタンド装置１においては、チルトスタンド部材３が、支持部１２をスタンド収納凹部２から突出させた状態に保持される。チルトスタンド装置１においては、チルトスタンド部材３の突出量に応じて奥行きの高さを大きくすることで、キーボード５０の操作面５１の傾斜角度を大きくする。
【００３５】
チルトスタンド装置１においては、上述したようにクリック段部８の第１の段差部９を傾斜面に構成したことによって、チルトスタンド部材３を回転操作した際に、比較的軽微な操作力によりクリック凸部１５が第１の段差部９に沿ってクリック段部８の主面上に乗り上がるようになる。したがって、チルトスタンド装置１においては、チルトスタンド部材３への負荷が小さくなることから基端部１１や支軸１３における破損等の発生が防止される。また、チルトスタンド装置１においては、第１の段差部９とクリック凸部１５との間の摩擦力も大幅に低減されるようになるとともにこれら第１の段差部９とクリック凸部１５とが略面接触の状態で摺擦することから、これら部位における摩耗が大幅に抑制される。
【００３６】
チルトスタンド装置１においては、繰り返し使用によっても、第１の段差部９と第２の段差部１０とを有するクリック段部８とクリック凸部１５とによるチルトスタンド部材３のクリック作用が確実に奏されるようになる。チルトスタンド装置１においては、これによって耐久性の大幅な向上が図られる。なお、チルトスタンド装置１においては、第２の位置においてキーボード５０を操作する際の力がチルトスタンド部材３に作用されるが、第２の段差部１０を垂直壁として構成してクリック凸部１５を突き当てて係止するとともに基端部１１の下端縁１１ａをスタンド収納凹部２の開口縁２ａに突き当てて係止することで、チルトスタンド部材３が第２の位置でしっかりと保持される。
【００３７】
なお、上述した実施の形態においては、スタンド収納凹部２の内部空間とチルトスタンド部材３とを楔状に形成したが、かかる形状に限定されるものではないことは勿論である。チルトスタンド装置は、例えば機器本体の底面部にスリット状の開口部からなるスタンド収納凹部を形成し、このスタンド収納凹部に対して板状のチルトスタンド部材を回動自在に組み付けるようにしてもよい。また、チルトスタンド装置は、キーボード５０に付設されるばかりでなく、設置角度が変えられる各種の機器に対して適用可能である。
【００３８】
【発明の効果】
以上詳細に説明したように、本発明にかかるチルトスタンド装置によれば、機器本体側のスタンド収納凹部に第１の段差部と第２の段差部とを有するクリック段部を形成するとともにスタンド収納凹部に回転自在に組み付けられたチルトスタンド部材にクリック凸部を形成して、チルトスタンド部材をスタンド収納凹部内に収納した第１の位置とスタンド収納凹部から突出して機器本体の角度を大きくする第２の位置とに保持するように構成し、少なくとも第１の段差部に傾斜を付して構成したことにより、チルトスタンド部材を回転操作する際にこの第１の段差部に対するクリック凸部の乗り上がり動作が比較的軽微な力で行われるようになる。したがって、チルトスタンド装置によれば、チルトスタンド部材への負担も小さくなるとともにクリック凸部と第１の段差部とが略面接触の状態で摺擦することからこれら部位における摩耗が抑制され、繰り返し使用によってもクリック作用が確実に奏されて耐久性の大幅な向上が図られるようになる。
【図面の簡単な説明】
【図１】本発明の実施の形態として示すチルトスタンド装置の要部断面図であり、スタンド収納凹部にチルトスタンド部材を収納した状態を示す。
【図２】同チルトスタンド装置の要部底面図である。
【図３】同チルトスタンド装置の要部断面図である。
【図４】同チルトスタンド装置の要部断面図であり、スタンド収納凹部からチルトスタンド部材を突出させた状態を示す。
【図５】スタンド収納凹部の構成を説明する要部断面図である。
【図６】スタンド収納凹部の構成を説明する要部断面図である。
【図７】チルトスタンド装置が付設されたキーボードの斜視図である。
【図８】従来のチルトスタンド装置の要部断面図であり、スタンド収納凹部にチルトスタンド部材を収納した状態を示す。
【図９】同チルトスタンド装置の要部底面図である。
【図１０】同チルトスタンド装置の要部断面図である。
【図１１】同チルトスタンド装置の要部断面図であり、スタンド収納凹部からチルトスタンド部材を突出させた状態を示す。
【符号の説明】
１      チルトスタンド装置
２      スタンド収納凹部
３      チルトスタンド部材
７      軸孔
８      クリック段部
９      第１の段差部
１０    第２の段差部
１３    支軸
１５    クリック凸部
【図１】
2004151930.tif 000003
【図２】
2004151930.tif 000004
【図３】
2004151930.tif 000005
【図４】
2004151930.tif 000006
【図５】
2004151930.tif 000007
【図６】
2004151930.tif 000008
【図７】
2004151930.tif 000009
【図８】
2004151930.tif 000010
【図９】
2004151930.tif 000011
【図１０】
2004151930.tif 000012
【図１１】
2004151930.tif 000013